(57)【要約】【課題】従来のタオル等の可撓性シートの機能と、装飾性を確保した上で、道具の細部等に強固に付着した汚れ等を除去することを可能とする清掃具付き可撓性シートの提供を、課題とする。【解決手段】  可撓性シート基体（１１）と清掃具（１０）からなり、前記清掃具（１０）は、可撓性シート基体（１１）に固着するための固着部（１０１）と可撓性シート基体（１１）の縁部から突出する清掃部（１００）とを一体としたことを特徴とする清掃具付き可撓性シートを、解決手段とする。【選択図】  図１
2007082731.tif 000002
【特許請求の範囲】
【請求項１】
可撓性シート基体と清掃具からなり、前記清掃具は、可撓性シート基体に固着するための固着部と可撓性シート基体の縁部から突出する清掃部とを一体としたことを特徴とする清掃具付き可撓性シート。
【請求項２】
固着部は可撓性シート基体に対する挟持手段を具備したことを特徴とする請求項１記載の清掃具付き可撓性シート。
【請求項３】
固着部は可撓性シート基体の片面側のみに当接する板状としたことを特徴とする請求項１記載の清掃具付き可撓性シート。
【請求項４】
固着部は、意匠表示部を備えることを特徴とする請求項１、２又は３記載の清掃具付き可撓性シート。
【請求項５】
清掃部は、櫛状片を長手方向に複数列設したことを特徴とする請求項１、２、３又は４記載の清掃具付き可撓性シート。
【請求項６】
可撓性シート基体は、清掃具取付縁部を底辺若しくは側辺とするポケットを形成したことを特徴とする請求項１、２、３、４又は５記載の清掃具付き可撓性シート。
【請求項７】
可撓性シート基体の縁部に固着するための固着部と、該固着部と一体となる清掃部とを備えたことを特徴とする合成樹脂製の清掃具。
【請求項８】
固着部は可撓性シート基体に対する挟持手段を具備したことを特徴とする請求項７記載の清掃具。
【請求項９】
固着部は可撓性シート基体の片面側のみに当接する板状としたことを特徴とする請求項７記載の清掃具。
【請求項１０】
固着部は、意匠表示部を備えることを特徴とする請求項７、８又は９記載の清掃具。
【請求項１１】
清掃部は、櫛状片を長手方向に複数列設したことを特徴とする請求項７、８、９又は１０記載の清掃具。
【発明の詳細な説明】
【技術分野】
【０００１】
本発明は、清掃具を備えたタオル等の可撓性シート、及び該可撓性シートに取付けられている清掃具に関する。尚、本発明における可撓性シートとは、タオルのみならず、ハンカチ、ウエス、手拭、布巾等の種々のシートを含む。また、可撓性シートの材質は、天然繊維、合成繊維、皮革等を含む。
【背景技術】
【０００２】
タオルやハンカチ等の可撓性シートは、周知のように、身の周りの様々なものに対して使用される。例えば、家庭内や屋外スポーツ（例えば、釣りやゴルフ、スキー、スノーボード）等で使用者や道具に付着した水分、汚れ、その他の付着物等を拭き取る目的や、前記例示した釣りでは魚を掴むことを目的等として使用することもある。また、可撓性シートのうちウエス等は、車両の清掃や機械類の整備等において、汚れや水分、油分等を拭き取る目的で使用される。
これらの可撓性シートは、単に使用者の顔や手を拭いたり、道具を大雑把に拭いたりする程度であれば、十分にその目的を果たすことができる。
【０００３】
一方、これらの可撓性シートに、熱可塑性合成樹脂や合成ゴムで形成されるワッペン（シート片）を縫着して、意匠性の向上等を図るものがある。
【０００４】
以上のような特徴を有するものとしては、例えば、タオル、ハンカチ等のシート本体（可撓性シート基体）の適所に熱可塑性の樹脂シート片を熱溶着させるとともに、該シート本体（可撓性シート基体）の上記樹脂シート片の溶着された部分に釣止孔を穿設してなる釣止保持の可能なシート体（例えば、特許文献１参照。）が公知である。
【０００５】
【特許文献１】実開昭５９−６０９９６号公報
【発明の開示】
【発明が解決しようとする課題】
【０００６】
上記特許文献１に係る発明は、周知のタオルやハンカチ等である可撓性シートに熱可塑性の樹脂シート片を備えたものであり、環状金具と接触する部分の補強に加えてその部分の装飾効果を得ることができるものである。
【０００７】
当該特許文献１に係る可撓性シートによれば、公知の可撓性シートと同様に、単に使用者の顔や手を拭いたり、道具を大雑把に拭く程度であれば、問題なく使用することができる。
しかしながら、道具の細部等に強固に付着した汚れ等を除去するために使用すると、道具の細部等に対して可撓性シートを十分に接触させることができないことがある。また、可撓性シートの性質から汚れ等を除去するための力を十分に当該汚れ等に対して与えることができないことがある。このように、道具の細部等に強固に付着した汚れ等を除去するには、上記可撓性シートでは非常に困難な場合が多い。
【０００８】
例えば、スキーやスノーボード等でスキー板、スノーボード板等を大雑把に拭くことはできても、スキー靴の細部やビンディング等に雪が付着して固まったものを、可撓性シートや指で取り除くことは非常に労力を要する。また、さびき釣りで使用する錘を兼ねた網籠のように使用後の網の目に付着する多数の細かな寄餌を、可撓性シートで確実に取り除くことは非常に労力を要する。同様に、車両にワックスをかけた後に、乾いたワックスの拭き残しを除去しようとする際にも、細部に溜まった拭き残しの除去作業は非常に困難である。また、ゴルフクラブでは、全体の清掃は可撓性シートによって行うことができるが、部材相互の隙間や小さな溝等に付着した汚れの除去までは困難である。以上のように、非常に多くの清掃対象物が、可撓性シートを使用した清掃である程度の効果を得ることができるが十分という程には清掃できないという事情がある。
【０００９】
また、上記特許文献１に係る可撓性シートによれば、熱可塑性の樹脂シート片は可撓性シートの面に対して溶着等で取付けられており、道具の細部等に強固に付着した汚れ等を除去するために役立つものではなかった。
【００１０】
本発明は以上の事情に鑑みてなされたものであり、従来のタオル等の可撓性シートの機能と、装飾性を確保した上で、道具の細部等に強固に付着した汚れ等を除去することを可能とする清掃具付き可撓性シートの提供を、発明が解決しようとする課題とする。
【課題を解決するための手段】
【００１１】
可撓性シート基体と清掃具からなり、前記清掃具は、可撓性シート基体に固着するための固着部と可撓性シート基体の縁部から突出する清掃部とを一体としたことを特徴とする清掃具付き可撓性シートを、課題を解決するための手段とする。
【発明の効果】
【００１２】
請求項１及び請求項７に係る発明によれば、可撓性シート基体に対して固着するための固着部と可撓性シート基体の縁部から突出する清掃部とを一体としたことで、可撓性シート基体とは異なり、一定の硬度が確保された前記清掃部が清掃対象となる細部に容易に接触し、簡単に強固に付着した汚れ等を除去することができる。
【００１３】
そして、前記清掃具がタオルやハンカチ等といった可撓性シート基体に対して固着されていることで、可撓性シートの拭き取りによる清掃に加えて、前記清掃具で細部の汚れを落とすことができるから、作業者は、可撓性シート基体を用いた拭き取り作業と清掃具による細部の汚れ等の除去作業との切換を、手持ちの清掃具付き可撓性シートだけで行うことができるため、極めて効率よく清掃作業を行うことができ、非常に便利で有用な可撓性シートを提供することができる。
【００１４】
請求項２及び請求項８に係る発明によれば、上記請求項１及び請求項７の効果に加えて、固着部は可撓性シート基体に対する挟持手段を備えたことによって、可撓性シート基体の表面及び裏面が固着部と当接し、十分な接触面積を確保することで、可撓性を有する可撓性シート基体と硬質な固着部とを、強固に固着することができる。
【００１５】
請求項３及び請求項９に係る発明によれば、固着部は可撓性シート基体の片面側のみに当接する板状としたことで、可撓性シート基体の片面側から固着部を当接して固着することができることから、製造時における固着作業が非常に容易となり、製造コストの低減を図ることができる。
【００１６】
また、当該構成は固着部の厚みを低減することができることから、可撓性シート基体に固着した状態で嵩張りを抑えることができ、外観体裁の良好な清掃具付き可撓性シートを提供することができる。
【００１７】
請求項４及び請求項１０に係る発明によれば、上記請求項１乃至請求項３の効果を発揮した上で、意匠性向上の効果を確保することができる。
【００１８】
請求項５及び請求項１１に係る発明によれば、清掃部は、櫛状片を長手方向に複数列設したことによって、例えば細かい網目等や多数の細孔に付着した汚れ等に対して、各櫛状片が細かい網目等や多数の細孔に嵌りこみ、前記汚れ等を簡単に除去することができる。
【００１９】
請求項６に係る発明のように、上記各発明に対して、可撓性シート基体に清掃具取付縁部を底辺若しくは側辺とするポケットを形成する構成を付加したことによって、ポケット内に手を挿入して可撓性シート基体を介して清掃具を摘み、清掃具による清掃作業を行うことで、手指を傷つけたり、ひどく汚したりすることもなく、快適に清掃作業を行うことができる。
【発明を実施するための最良の形態】
【００２０】
本発明は、可撓性シート基体と清掃具からなり、前記清掃具は、可撓性シート基体に固着するための固着部と可撓性シート基体の縁部から突出する清掃部とを一体とし、前記清掃部は先端が先細り形状とし、固着部は可撓性シート基体の片面側のみに当接する板状の意匠表示部を備え、可撓性シート基体は、清掃具取付縁部を底辺若しくは側辺とするポケットを形成した清掃具付き可撓性シートによって、従来のタオル等の可撓性シートの機能と、装飾性を確保した上で、道具の細部等に強固に付着した汚れ等を除去することを実現した。
【実施例】
【００２１】
図１は本発明の実施例１に係る清掃具付き可撓性シートを示す斜視図、図２は同実施例１に係る清掃具を示す拡大斜視図及び拡大Ａ−Ａ断面図、図３は本発明の実施例２に係る清掃具付き可撓性シートを示す斜視図、図４は同実施例に係る清掃具を示す拡大斜視図及び拡大Ｂ−Ｂ断面図、図５は本発明の実施例３に係る清掃具付き可撓性シートを示す斜視図、図６は同実施例に係る清掃具を示す拡大斜視図及び拡大Ｃ−Ｃ断面図、図７は実施例４に係る清掃具付き可撓性シートを示す斜視図、図８は実施例４に係る清掃具付き可撓性シートのポケットに手を挿入して清掃具を指先で把持した状態を示す参考図、図９は実施例４の変形例を示す斜視図である。
【００２２】
（実施例１）
本発明の実施例１に係る清掃具付き可撓性シート１は、図１及び図２に示すように、可撓性シート基体１１であるタオル生地に清掃具１０を縫着してなるタオルである。前記清掃具１０は、シリコン樹脂からなり、可撓性シート基体１１に対して固着するための固着部１０１と可撓性シート基体１１の縁部から突出する清掃部１００とを一体としてなる。
【００２３】
前記固着部１０１は、可撓性シート基体１１の端面と当接する当接面１００ｆ上に相互に対峙する二枚の板状片１０１ａを配置して、可撓性シート基体１１の縁部を長手に亘って挟持可能な状態としている。そして、前記清掃部１００は前記固着部１０１と一体に形成しており、清掃部１００の表面側の斜面１００ａと裏面側の斜面１００ａが突き当たることによって先端で直線状の峰１００ｂを形成している。この構成によって、基端１００ｃから先端１００ｄに至るほど厚みが減少し先端が尖った形状としている。
【００２４】
可撓性シート基体１１であるタオル生地の縁部を前記固着部１０１の前記二枚の板状片１０１ａが挟み込み、一方の板状片１０１ａの側からタオル生地と他方の板状片１０１ａを縫着糸で連通して、前記可撓性シート基体１１に対して清掃具１０を縫着固定している。二枚の板状片１０１ａの外面は夫々意匠表示部１０２となる。
【００２５】
本実施例１に係る清掃具付き可撓性シート１における清掃具１０の使用方法は、固着部１０１を両側から指で摘み、清掃部１００を被清掃箇所に押し付け、はけのように、汚れを掻き出すことによって行う。
【００２６】
溝に対する清掃を例として具体的に示すと、先ず、尖った先端を溝の内側面に対して下方へ押し付けることによって汚れ等を擦り取る。次に、先端を押し付けた状態で長手方向に沿って清掃具１０を移動させることにより、当該汚れ等を掻き出すことができる。また、掻き出しの際には、併せて汚れ等を擦り取ることができる。上記したように、基端１００ｃから先端１００ｄに至って厚みを減少させ先の尖った形状としていることから、溝のような細い部分であっても容易に汚れ等を掻き出すことができる。
【００２７】
（実施例２）
本発明の実施例２に係る清掃具付き可撓性シート１は、図３及び図４に示すように、可撓性シート基体１１であるタオル生地と清掃具１０との間にホットメルト接着材を配して加熱し、タオル生地と清掃具１０とを接着してなるタオルである。前記清掃具１０は、ポリプロピレンからなり、実施例１と同様に、可撓性シート基体１１に対して固着するための固着部１０１と可撓性シート基体１１の縁部から突出する清掃部１００とを一体としてなるものである。
【００２８】
前記固着部１０１は、一枚の板状片１０１ａからなる。前記板状片１０１ａの厚さは、清掃部１００の基端１００ｃの厚さよりも小さくしている。そして、これに伴って、可撓性シート基体１１の縁部端面１１２と当接する当接面１００ｆを形成している。板状片１０１ａの外面には意匠表示部１０２を形成している。
【００２９】
また、清掃部１００の形状は実施例１と同様であり、清掃部１００の表面側の斜面１００ａと裏面側の斜面１００ａによって先端で直線状の峰１００ｂを形成した構成である。
【００３０】
（実施例３）
本発明の実施例３に係る清掃具付き可撓性シート１を、図５及び図６に示す。本実施例３に係る清掃具付き可撓性シート１は、上記実施例１と比較して清掃部１００の形状のみ相違するものである。清掃部１００は、先端１００ｄが先細り形状となる櫛状片１００ｅを長手方向に複数列設した構成である。
【００３１】
本実施例３係る清掃具付き可撓性シート１であるタオルによれば、先端の尖った複数の櫛状片を有することによって、多数の細かな隙間に櫛状片が入り込むことで、非常に効率よく汚れ等の除去を行うことができる。例えば、さびき釣りで使用する錘を兼ねた網籠のように使用後の網の目に付着する多数の細かな寄餌を取り除くのに非常に好適である。
【００３２】
（実施例４）
本発明の実施例４に係る清掃具付き可撓性シート１を、図７に示す。本実施例４に係る清掃具付き可撓性シート１の清掃具１０は、上記実施例１の清掃具１０と同一のものを使用している。本実施例４に係る清掃具付き可撓性シート１は、可撓性シート基体１１の清掃具取付縁部１１１側に底部を配置したポケット１１０を備えている。
【００３３】
本実施例４の具体的な構成は、タオルの一端を、該一端に平行な谷折線で折返し、折返しで形成された重合部分の左右両端を縫着することで、前記谷折線を底辺としたポケット１１０を形成し、該ポケット１１０の底辺に、清掃具１０を取着してなることを特徴とする清掃具付き可撓性シート１である。
【００３４】
また、本実施例４に係る清掃具付き可撓性シート１は、清掃具１０とは反対側となる縁部に鳩目１２を具備し、鳩目１２に茄子環１３を連結した構成を備えている。このため、茄子環１３を他物に吊り下げることによって、前記ポケット１１０は清掃以外の用途として、物品収納用のポケット１１０として使用することが可能となる。
【００３５】
本実施例４に係る清掃具付き可撓性シート１は、図８に示すように、形成されたポケット１１０内に手指２を挿入し、挿入した手指２で清掃具１０の固着部１０１を、可撓性シート基体１１を介して包持し、清掃作業を行うものである。このようにポケット１１０を形成して、該ポケット１１０内に挿入した片手で、タオルによる拭き取りと清掃具１０による掻き取りの両方の作業を行うことができることから、極めて利便性を高めることができる。更に、本実施例４の構成によれば、ポケット内に手指を挿入することによって、手指が汚れることを防止しつつ、前記清掃作業を行えるという効果も得られる。
【００３６】
また、実施例４の変形例として図９に示すように、可撓性シート基体１１の長手中央位置の側部に鳩目１２を具備し、鳩目１２に連結環１４等の他物との連結手段を設けることもできる。当該構成によれば、可撓性シート基体１１の長手中央から上側を折返し可能とすることで、ポケット１１０に対するフラップの役割を果たすものとすることができる。
【００３７】
以上のように、本発明における清掃具１０は、可撓性シート基体１１の使用対象と同一物を清掃対象としている。そして、その細部を清掃することができる清掃具１０を具備した清掃具付き可撓性シート１としたことから、前記清掃具付き可撓性シート１は通常のタオル等と同様に容易に携帯することができ、拭き取り等に使用する際には、可撓性シート基体１１で拭き取りを行うことに加えて、清掃具１０で細部等の箇所に強固に付着した汚れ等を除去することができる。
【００３８】
尚、ここで、「可撓性シート基体１１の使用対象と同一物を清掃対象」とは、可撓性シート基体１１の使用対象と清掃具１０の清掃対象が物品として同一であればよく、物品の部分（部品）が相違するものも含む。例えば、車両の場合、車両のボディ等が可撓性シート基体の使用対象であり、清掃対象がその車両のドアミラーの細部であってもよい。また、釣竿であれば、釣竿本体が可撓性シート基体１１の使用対象であり、その仕掛けの一部や他の釣具を清掃具の細部等を清掃対象とするものであってもよい。
【００３９】
また、本発明に係る清掃具付き可撓性シート１は、清掃具１０における清掃部１００の硬度を変えることによって、様々な用途に対応することができる。清掃部１００を高硬度とすることによって、より強固な汚れの付着の掻き落しを可能とすることができる。一方、清掃部１００に弾力性を持たせることによって、細かな網目に対して清掃具１０の先端を進入しやすくすることができる。
【００４０】
更に、清掃部１００の形状も上記実施例に限るものではない。上記実施例ではいずれも先端先細り形状としているが、本発明ではこれに限らず、基端１００ｃから先端１００ｄに至るまで同一幅とすることもできる。尚、先端先細りとすることで、より細かな隙間に先端を挿入できる効果を得ることができる。また一方、本発明においては、上記実施例のものを相互に組合わせることもできる。例えば、清掃部のうち長手方向に向けて半分を実施例１の清掃部の形状とし、残り半分を実施例３に示す櫛状片等の形状とすることもできる。
【００４１】
本発明の趣旨としては、摩擦によって強固な汚れ等の除去が可能であれば種々の合成樹脂を使用することができる。本発明で特に好適なものとしては、実施例に示したポリプロピレン、シリコン樹脂の他、ポリウレタン等がある。
【００４２】
更に、本発明によれば、可撓性シート基体１１に対する清掃具１０の固着方法は特に限定するものではない。例えば、実施例に示した縫着やホットメルト接着材を用いた熱接着に限らず、他の接着、溶着、面ファスナー等による係着等、種々の公知な固着手段を適用することができる。
【００４３】
また、意匠表示部１０２の外形輪郭形状は任意の形状に設定することができる。意匠の表示は、意匠を表すシート状体を前記意匠表示部１０２に貼着することもできるし、意匠表示部１０２に凹凸の形状を形成して意匠を表示することもできる。
【図面の簡単な説明】
【００４４】
【図１】本発明の実施例１に係る清掃具付き可撓性シートを示す斜視図である。
【図２】本発明の実施例１に係る清掃具を示す拡大斜視図及び拡大Ａ−Ａ断面図である。
【図３】本発明の実施例２に係る清掃具付き可撓性シートを示す斜視図である。
【図４】本発明の実施例２に係る清掃具を示す拡大斜視図及び拡大Ｂ−Ｂ断面図である。
【図５】本発明の実施例３に係る清掃具付き可撓性シートを示す斜視図である。
【図６】本発明の実施例３に係る清掃具を示す拡大斜視図及び拡大Ｃ−Ｃ断面図である。
【図７】本発明の実施例４に係る清掃具付き可撓性シートを示す斜視図である。
【図８】本発明の実施例４に係る清掃具付き可撓性シートのポケットに手指を挿入して清掃具を指先で把持した状態を示す参考図である。
【図９】本発明の実施例４の変形例を示す斜視図である。
【符号の説明】
【００４５】
１        清掃具付き可撓性シート
１０      清掃具
１００    清掃部
１００ａ  斜面
１００ｂ  峰
１００ｃ  基端
１００ｄ  先端
１００ｅ  櫛状片
１００ｆ  当接面
１０１    固着部
１０１ａ  板状片
１０２    意匠表示部
１１      可撓性シート基体
１１０    ポケット
１１１    清掃具取付縁部
１１２    縁部端面
１２      鳩目
１３      茄子環
１４      連結環
２        手指
【図１】
2007082731.tif 000003
【図２】
2007082731.tif 000004
【図３】
2007082731.tif 000005
【図４】
2007082731.tif 000006
【図５】
2007082731.tif 000007
【図６】
2007082731.tif 000008
【図７】
2007082731.tif 000009
【図８】
2007082731.tif 000010
【図９】
2007082731.tif 000011